(57)【要約】【課題】メッセンジャープラットフォームのユーザ関係情報に基づいて様々なサービスを提供する方法及びシステムを提供する。【解決手段】サービス提供方法は、メインサービスを用いるユーザ間の関係情報を含むリアルプロフィールを用いてメインサービスを提供するステップと、メインサービスによって複数の連係サービスのためのチャネルを提供し、チャネルを介して選択された連係サービスを提供するステップとを含んでもよい。ここで、複数の連係サービスのうち少なくとも１つの連係サービスは、当該連係サービス，及び、当該連係サービス内で前記リアルプロフィールを用いて関係を構築すべき少なくとも１人の他のユーザを選択したユーザに提供される。【選択図】図１
2014021969.tif 000002
【特許請求の範囲】
【請求項１】
メインサービスを用いるユーザ間の関係情報を含むリアルプロフィールを用いて前記メインサービスを提供するステップと、
前記メインサービスによって複数の連係サービスのためのチャネルを提供し、前記チャネルを介して選択された連係サービスを提供するステップと、
を含み、
前記複数の連係サービスのうち少なくとも１つの連係サービスは、当該連係サービス，及び、当該連係サービス内で前記リアルプロフィールを用いて関係を構築すべき少なくとも１人の他のユーザを選択したユーザに提供されることを特徴とするサービス提供方法。
【請求項２】
前記複数の連係サービスのうち少なくとも１つの他の連係サービスは、前記他の連係サービスを用いるユーザ間の関係情報を含むサービスごとのプロフィールまたは前記チャネルを用いるユーザ間の関係情報を含むチャネルプロフィールを用いて、当該プロフィールによって関係が設定された少なくとも２以上のユーザに、共に提供されることを特徴とする請求項１に記載のサービス提供方法。
【請求項３】
前記複数の連係サービスに関連するユーザの便り情報を、前記リアルプロフィール、前記サービスごとのプロフィール及び前記チャネルプロフィールのうち少なくとも１つに基づいて関係が設定された他のユーザに提供するステップをさらに含むことを特徴とする請求項２に記載のサービス提供方法。
【請求項４】
前記複数の連係サービスは、前記メインサービスのサービスプラットフォームに基づいてユーザ端末に提供され、前記ユーザ端末で動作する互いに異なるアプリケーションによって提供されることを特徴とする請求項１に記載のサービス提供方法。
【請求項５】
前記複数の連係サービスのうち少なくとも１つの連係サービスを提供するためのアプリケーションは、前記メインサービスが提供されるメインアプリケーション上で駆動されるように製作されたことを特徴とする請求項４に記載のサービス提供方法。
【請求項６】
前記複数の連係サービスのうち外部業者による少なくとも１つの連係サービスは、前記メインサービスのサービスプラットフォームに基づいてユーザ端末に提供され、外部業者によって製作された外部製作アプリケーションによってユーザ端末で提供されることを特徴とする請求項１に記載のサービス提供方法。
【請求項７】
前記外部業者のサービスが前記チャネルを介して表示されることによるプラットフォームのイニシャル利用料が前記外部業者に課金されることを特徴とする請求項６に記載のサービス提供方法。
【請求項８】
前記外部業者のサービスがユーザに提供されることによって発生する収益が前記メインサービスのプロバイダと前記外部業者との間に分配されることを特徴とする請求項６に記載のサービス提供方法。
【請求項９】
前記チャネルを介して選択された連係サービスを提供するステップは、前記メインサービスを前記選択された連係サービスに転換して提供し、
前記連係サービスは、前記メインサービスに再び転換するためのユーザインタフェースを含むことを特徴とする請求項１に記載のサービス提供方法。
【請求項１０】
前記チャネルを介して選択された連係サービスを提供するステップは、ユーザの前記連係サービスに関連するデータを選択し、前記リアルプロフィールによって関係の設定された他のユーザに前記メインサービスによって伝達または共有することを特徴とする請求項１に記載のサービス提供方法。
【請求項１１】
メインサービスを用いるユーザ間の関係情報を含むリアルプロフィールを用いて前記メインサービスを提供するメインサービス提供部と、
前記メインサービスによって複数の連係サービスのためのチャネルを提供し、前記チャネルを介して選択された連係サービスを提供する連係サービス提供部と、
を備え、
前記複数の連係サービスのうち少なくとも１つの連係サービスは、当該連係サービス，及び、当該連係サービス内で前記リアルプロフィールを用いて関係を構築すべき少なくとも１人の他のユーザを選択したユーザに提供されることを特徴とするサービスプラットフォームシステム。
【請求項１２】
前記複数の連係サービスのうち少なくとも１つの他の連係サービスは、前記他の連係サービスを用いるユーザ間の関係情報を含むサービスごとのプロフィールまたは前記チャネルを用いるユーザ間の関係情報を含むチャネルプロフィールを用いて、当該プロフィールによって関係が設定された少なくとも２以上のユーザに、共に提供されることを特徴とする請求項１１に記載のサービスプラットフォームシステム。
【請求項１３】
前記複数の連係サービスに関連するユーザの便り情報を、前記リアルプロフィール、前記サービスごとのプロフィール及び前記チャネルプロフィールのうち少なくとも１つに基づいて関係が設定された他のユーザに提供する便り情報提供部をさらに備えることを特徴とする請求項１２に記載のサービスプラットフォームシステム。
【請求項１４】
前記複数の連係サービスは、前記メインサービスのサービスプラットフォームに基づいてユーザ端末に提供され、前記ユーザ端末で動作する互いに異なるアプリケーションによって提供されることを特徴とする請求項１１に記載のサービスプラットフォームシステム。
【請求項１５】
前記複数の連係サービスのうち少なくとも１つの連係サービスを提供するためのアプリケーションは、前記メインサービスが提供されるメインアプリケーション上で駆動されるように製作されたことを特徴とする請求項１４に記載のサービスプラットフォームシステム。
【請求項１６】
前記複数の連係サービスのうち外部業者による少なくとも１つの連係サービスは、前記メインサービスのサービスプラットフォームに基づいてユーザ端末に提供され、外部業者によって製作された外部製作アプリケーションによってユーザ端末で提供されることを特徴とする請求項１１に記載のサービスプラットフォームシステム。
【請求項１７】
前記外部業者のサービスが前記チャネルを介して表示されることによるプラットフォームのイニシャル利用料が前記外部業者に課金されることを特徴とする請求項１６に記載のサービスプラットフォームシステム。
【請求項１８】
前記外部業者のサービスがユーザに提供されることによって発生する収益が前記メインサービスのプロバイダと前記外部業者との間に分配されることを特徴とする請求項１６に記載のサービスプラットフォームシステム。
【請求項１９】
コンピュータシステムがサービスを提供する命令（ｉｎｓｔｒｕｃｔｉｏｎ）を含むコンピュータ読み出し可能な格納媒体であり、
前記命令は、
メインサービスを用いるユーザ間の関係情報を含むリアルプロフィールを用いて前記メインサービスを提供するステップと、
前記メインサービスによって複数の連係サービスのためのチャネルを提供し、前記チャネルを介して選択された連係サービスを提供するステップと、
を含み、
前記複数の連係サービスのうち少なくとも１つの連係サービスは、当該連係サービス，及び、当該連係サービス内で前記リアルプロフィールを用いて関係を構築すべき少なくとも１人の他のユーザを選択したユーザに提供される方法で前記コンピュータシステムを制御することを特徴とするコンピュータで読み出し可能な格納媒体。
【請求項２０】
メインサービスを用いるユーザ間の関係情報を含むリアルプロフィールを用いて前記メインサービスを提供するステップと、
前記メインサービスによって複数の連係サービスのためのチャネルを提供し、前記チャネルを介して選択された複数の連係サービスのリストを提供するステップと、
前記選択された複数の連係サービスのリストのうちユーザが選択した連係サービスを提供するステップと、
を含み、
前記連係サービスは、前記メインサービスのサービスプラットフォームと連動してサービスされることを特徴とする連係サービス提供方法。
【請求項２１】
前記ユーザが選択した連係サービスは、前記メインサービスの提供のためのメインアプリケーション上で駆動されるウェブアプリケーションであることを特徴とする請求項２０に記載の連係サービス提供方法。
【請求項２２】
前記ユーザが選択した連係サービスは、前記メインサービスの提供のためのメインアプリケーションとは別に駆動されるネイティブアプリケーションであることを特徴とする請求項２０に記載の連係サービス提供方法。
【請求項２３】
前記ユーザが選択した連係サービスを提供するステップは、
前記ユーザのユーザ端末に前記ネイティブアプリケーションがインストールされているかを確認するステップと、
前記ネイティブアプリケーションが前記ユーザ端末にインストールされている場合に前記連係サービスを提供するステップを含むことを特徴とする請求項２２に記載の連係サービス提供方法。
【請求項２４】
前記ユーザが選択した連係サービスを提供するステップは、
前記ユーザのユーザ端末に前記ネイティブアプリケーションがインストールされているかを確認するステップと、
前記ネイティブアプリケーションがユーザの携帯端末にインストールされていない場合、前記ネイティブアプリケーションのダウンロードをガイドするための情報を提供するステップと、
を含むことを特徴とする請求項２２に記載の連係サービス提供方法。
【請求項２５】
前記ユーザが選択した連係サービスを提供するステップは、前記ユーザの関係情報を含むリアルプロフィールを用いて、前記ユーザ及び前記ユーザと互いに関係の設定された少なくとも１つの他のユーザに共に前記連係サービスを提供することを特徴とする請求項２０に記載の連係サービス提供方法。
【請求項２６】
前記ユーザが選択した連係サービスを提供するステップは、前記ユーザの関係情報を含むリアルプロフィールを用いて、前記ユーザと互いに関係の設定された少なくとも１つの他のユーザに前記連係サービスに対する前記ユーザの便り情報を提供するステップを含むことを特徴とする請求項２０に記載の連係サービス提供方法。
【請求項２７】
前記の便り情報は、前記連係サービスに対する前記ユーザの利用内訳や活動内訳を含むことを特徴とする請求項２６に記載の連係サービス提供方法。
【請求項２８】
前記複数の連係サービスのうち少なくとも１つの連係サービスは、外部業者のサービスとして、前記メインサービスのサービスプラットフォームに基づいて前記ユーザのユーザ端末に提供されるが、前記外部業者によって製作された外部製作アプリケーションによって前記ユーザ端末で提供されることを特徴とする請求項２０に記載の連係サービス提供方法。
【請求項２９】
前記外部業者のサービスが前記ユーザに提供されることによって発生する収益が前記メインサービスのプロバイダと前記外部業者との間に分配されることを特徴とする請求項２８に記載の連係サービス提供方法。
【請求項３０】
メインサービスを用いるユーザ間の関係情報を含むリアルプロフィールを用いて前記メインサービスを提供するステップと、
前記メインサービスによって複数の連係サービスのためのチャネルを提供し、前記チャネルを介して選択された複数の連係サービスのリストを提供するステップと、
前記複数の連係サービスのリストのうちユーザが選択した連係サービスを提供するステップと、
前記ユーザが選択した連係サービスに関連するユーザの便り情報を、前記リアルプロフィール、サービスごとのプロフィール及びチャネルプロフィールのうち少なくとも１つに基づいて前記ユーザと互いに関係が設定された他のユーザに提供するステップと、
を含むことを特徴とする連係サービス提供方法。
【請求項３１】
前記ユーザが選択した連係サービスは、前記メインサービスの提供のためのメインアプリケーションとは別に駆動されるネイティブアプリケーションであることを特徴とする請求項３０に記載の連係サービス提供方法。
【請求項３２】
前記ユーザが選択した連係サービスを提供するステップは、
前記ユーザのユーザ端末に前記ネイティブアプリケーションがインストールされているかを確認するステップと、
前記ネイティブアプリケーションが前記ユーザ端末にインストールされている場合、前記連係サービスを提供するステップと、
を含むことを特徴とする請求項３１に記載の連係サービス提供方法。
【請求項３３】
前記ユーザが選択した連係サービスを提供するステップは、
前記ユーザのユーザ端末に前記ネイティブアプリケーションがインストールされているかを確認するステップと、
前記ネイティブアプリケーションが前記ユーザ端末にインストールされていない場合、前記ネイティブアプリケーションのダウンロードをガイドするための情報を提供するステップと、
を含むことを特徴とする請求項３１に記載の連係サービス提供方法。
【請求項３４】
前記ユーザが選択した連係サービスを提供するステップは、前記ユーザの関係情報を含むリアルプロフィールを用いて、前記ユーザ及び前記ユーザと互いに関係の設定された少なくとも１つの他のユーザに共に前記連係サービスを提供することを特徴とする請求項３０に記載の連係サービス提供方法。
【請求項３５】
前記の便り情報は、前記連係サービスに対する前記ユーザの利用内訳や活動内訳を含むことを特徴とする請求項３０に記載の連係サービス提供方法。
【請求項３６】
前記複数の連係サービスのうち少なくとも１つの連係サービスは外部業者のサービスとして、前記メインサービスのサービスプラットフォームに基づいて前記ユーザのユーザ端末に提供され、前記外部業者によって製作された外部製作アプリケーションを通じて前記ユーザ端末に提供されることを特徴とする請求項３０に記載の連係サービス提供方法。
【請求項３７】
前記外部業者のサービスが前記ユーザに提供されることによって発生する収益が、前記メインサービスのプロバイダと前記外部業者との間に分配されることを特徴とする請求項３６に記載の連係サービス提供方法。
【請求項３８】
メインサービスを用いるユーザ間の関係情報を含むリアルプロフィールを用いて前記メインサービスを提供するメインサービス提供部と、
前記メインサービスによって複数の連係サービスのためのチャネルを提供し、前記チャネルを介して選択された複数の連係サービスのリストを提供し、前記選択された複数の連係サービスのリストのうちユーザが選択した連係サービスを提供する連係サービス提供部と、
を備え、
前記連係サービスは、前記メインサービスのサービスプラットフォームと連動してサービスされることを特徴とするサービスプラットフォームシステム。
【請求項３９】
メインサービスを用いるユーザ間の関係情報を含むリアルプロフィールを用いて前記メインサービスを提供するメインサービス提供部と、
前記メインサービスによって複数の連係サービスのためのチャネルを提供し、前記チャネルを介して選択された複数の連係サービスのリストを提供して前記複数の連係サービスのリストのうちユーザが選択した連係サービスを提供する連係サービス提供部と、
前記ユーザが選択した連係サービスに関連するユーザの便り情報を、前記リアルプロフィール、サービスごとのプロフィール及びチャネルプロフィールのうち少なくとも１つに基づいて前記ユーザと互いに関係の設定された他のユーザに提供する便り情報提供部と、
を備えることを特徴とするサービスプラットフォームシステム。
【発明の詳細な説明】
【技術分野】
【０００１】
本発明の実施形態は、メッセンジャープラットフォームのユーザ関係情報に基づいて様々なサービスを提供する方法及びシステムに関する。
【背景技術】
【０００２】
メッセンジャー（ｍｅｓｓｅｎｇｅｒ）は、インターネットでリアルタイムにメッセージとデータを交換することのできるソフトウェアであって、相手がインターネットに接続しているかを確認できるため、相手との応答を直ちに行うことができる。従って、電子メールよりも速度が極めて速く、コンピュータで作業しながらメッセージ交換も可能である。また、メッセンジャーは、多者間のチャットと音声チャットとをサポートし、大容量の動画ファイルはもちろん、移動電話に文字メッセージも送信することもできる。
【発明の概要】
【発明が解決しようとする課題】
【０００３】
本発明の目的は、メッセンジャープラットフォームのユーザ情報及び友だちのような関係情報などに基づいて、メッセンジャープラットフォーム上に様々なサービスを実装することにより、メッセンジャープラットフォームとしてだけではなく、ソーシャルプラットフォームとして活用できるサービス提供方法及びサービスプラットフォームシステムを、提供する。
【０００４】
本発明の目的は、メッセンジャープラットフォームを通じて、メッセンジャーサービスだけではなく、内部／外部で製作されたアプリケーションを介して様々なサービスを提供することのできるサービス提供方法及びサービスプラットフォームシステムを、提供する。
【０００５】
本発明の目的は、外部業者によって製作されたアプリケーションを介して外部業者のサービスを提供し、メッセンジャープラットフォームをベースとして外部業者のサービスを提供し、プラットフォームのイニシャル利用料を外部業者に課金したり、または、外部業者のサービスがユーザに提供されることによって発生する収益をメッセンジャーサービスのプロバイダと外部業者との間に分配して収益を創出することのできるサービス提供方法及びサービスプラットフォームシステムを提供する。
【課題を解決するための手段】
【０００６】
メインサービスを用いるユーザ間の関係情報を含むリアルプロフィールを用いてメインサービスを提供するステップと、メインサービスによって複数の連係サービスのためのチャネルを提供し、チャネルを介して選択された連係サービスを提供するステップとを含み、複数の連係サービスのうち少なくとも１つの連係サービスは、当該連係サービス，及び、当該連係サービス内でリアルプロフィールを用いて関係を構築すべき少なくとも１人の他のユーザを選択したユーザに提供されるサービス提供方法が、提供される。
【０００７】
一実施形態によると、複数の連係サービスのうち少なくとも１つの他の連係サービスは、他の連係サービスを用いるユーザ間の関係情報を含むサービスごとのプロフィールまたはチャネルを用いるユーザ間の関係情報を含むチャネルプロフィールを用いて、当該プロフィールによって関係が設定された少なくとも２以上のユーザに、共に提供されてもよい。
【０００８】
他の一実施形態によると、複数の連係サービスに関連するユーザの便り情報を、リアルプロフィール、サービスごとのプロフィール及びチャネルプロフィールのうち少なくとも１つに基づいて関係が設定された他のユーザに提供するステップを、さらに含んでもよい。
【０００９】
他の一実施形態によると、複数の連係サービスは、メインサービスのサービスプラットフォームに基づいてユーザ端末に提供されても良く、ユーザ端末で動作する互いに異なるアプリケーションによって提供される。
【００１０】
他の一実施形態によると、複数の連係サービスのうち少なくとも１つの連係サービスを提供するためのアプリケーションは、メインサービスが提供されるメインアプリケーション上で駆動されるように、製作されてもよい。
【００１１】
他の一実施形態によると、複数の連係サービスのうち外部業者による少なくとも１つの連係サービスは、メインサービスのサービスプラットフォームに基づいてユーザ端末に提供されてもよく、外部業者によって製作された外部製作アプリケーションによってユーザ端末で提供されてもよい。
【００１２】
他の一実施形態によると、外部業者のサービスがチャネルを介して表示されることによるプラットフォームプラットフォームのイニシャル利用料が外部業者に課金されてもよい。
【００１３】
他の一実施形態によると、外部業者のサービスがユーザに提供されることによって発生する収益が、メインサービスのプロバイダと外部業者との間に分配されてもよい。
【００１４】
他の一実施形態によると、チャネルを介して選択された連係サービスを提供するステップは、メインサービスを選択された連係サービスに転換して提供し、連係サービスは、メインサービスに再び転換するためのユーザインタフェースを含んでもよい。
【００１５】
他の一実施形態によると、チャネルを介して選択された連係サービスを提供するステップは、ユーザの連係サービスに関連するデータを選択し、リアルプロフィールによって関係の設定された他のユーザにメインサービスによって伝達または共有してもよい。
【００１６】
メインサービスを用いるユーザ間の関係情報を含むリアルプロフィールを用いてメインサービスを提供するメインサービス提供部と、メインサービスによって複数の連係サービスのためのチャネルを提供し、チャネルを介して選択された連係サービスを提供する連係サービス提供部とを備え、複数の連係サービスのうち少なくとも１つの連係サービスは、当該連係サービス，及び、当該連係サービス内でリアルプロフィールを用いて関係を構築すべき少なくとも１人の他のユーザを選択したユーザに提供されるサービスプラットフォームシステムが、提供される。
【００１７】
コンピュータシステムがサービスを提供する命令（ｉｎｓｔｒｕｃｔｉｏｎ）を含むコンピュータ読み出し可能な格納媒体であり、命令は、メインサービスを用いるユーザ間の関係情報を含むリアルプロフィールを用いてメインサービスを提供するステップと、メインサービスによって複数の連係サービスのためのチャネルを提供し、チャネルを介して選択された連係サービスを提供するステップとを含み、複数の連係サービスのうち少なくとも１つの連係サービスは、当該連係サービス,及び、当該連係サービス内のリアルプロフィールを用いて関係を構築すべき少なくとも１人の他のユーザを選択したユーザに提供される方法でコンピュータシステムを制御するコンピュータで読み出し可能な格納媒体が、提供される。
【発明の効果】
【００１８】
本発明によると、メッセンジャープラットフォームのユーザ情報及び友だちのような関係情報などに基づいて、メッセンジャープラットフォーム上に様々なサービスを実装することにより、メッセンジャープラットフォームとしてだけではなく、ソーシャルプラットフォームとして活用することができる。
【００１９】
本発明によると、メッセンジャープラットフォームによってメッセンジャーサービスだけではなく、内部／外部で製作されたアプリケーションによって様々なサービスを、提供することができる。
【００２０】
本発明によると、外部業者によって製作されたアプリケーションを介して外部業者のサービスを提供するが、メッセンジャープラットフォームをベースとして外部業者のサービスを提供し、プラットフォームのイニシャル利用料を外部業者に課金したり、または、外部業者のサービスがユーザに提供されることによって発生する収益をメッセンジャーサービスのプロバイダと外部業者との間に分配して、収益を創り出すことができる。
【図面の簡単な説明】
【００２１】
【図１】本発明の一実施形態に係るメッセンジャープラットフォームをベースとしたチャネルを介して様々なサービスを提供する画面の一例である。
【図２】本発明の一実施形態に係るサービスプラットフォームシステムの内部構成を説明するためのブロック図である。
【図３】本発明の一実施形態に係るスケジュールサービスでメッセンジャーサービスの実際グラフを用いる一例を示す図である。
【図４】本発明の一実施形態に係る他のユーザがスケジュールサービスを提供される一例を示す図である。
【図５】本発明の一実施形態に係る他のユーザがスケジュールサービスを提供される一例を示す図である。
【図６】本発明の一実施形態に係るサービス提供方法を示すフローチャートである。
【図７】本発明の一実施形態に係るメインサービスと連係サービスを転換して提供する形状を示す一例である。
【図８】本発明の一実施形態に係るメインサービスと連係サービスを転換して提供する形状を示す一例である。
【発明を実施するための形態】
【００２２】
以下、本発明の実施形態について添付の図面を参照しながら詳細に説明する。
【００２３】
図１は、本発明の一実施形態に係るメッセンジャープラットフォームをベースとしたチャネルを介して様々なサービスを提供する画面の一例である。
【００２４】
第１画面１１０は、メッセンジャーサービスの友だちリストを示す端末画面の一例である。第１画面１１０には、友だちリストを表示するためのユーザインタフェース１１１が活性化した状態が、示されている。
【００２５】
第２画面１２０は、タイムライン（ｔｉｍｅｌｉｎｅ）を示す端末画面の一例である。第２画面１２０には、タイムラインを表示するためのユーザインタフェース１２１が活性化した状態が、示されている。ここで、タイムラインは、メッセンジャーサービスによって提供される様々なサービスと関連し、友だちの便り情報が時間の流れに応じて表示される領域を意味する。例えば、友だちのコンテンツ利用内訳や活動内訳などがタイムラインによって通知形式で提供されてもよい。この場合、ユーザ名、活動内訳、詳細コンテンツ、コメントなどの様々な情報が、タイムラインによって、時間の流れに応じて表示されてもよい。
【００２６】
第３画面１３０は、内部で規定された原則及び政策によって内部／外部で製作されたアプリケーションのリストを示す端末画面の一例である。第３画面１３０には、アプリケーションのリストを表示するためのユーザインタフェース１３１が活性化した状態が、示されている。すなわち、メッセンジャーサービスによって様々な連係サービスを提供するためのチャネルが提供されてもよく、ユーザは、このようなチャネルを介して所望する連係サービスを選択して利用してもよい。
【００２７】
すなわち、図１は、メッセンジャーサービスによって複数の連係サービスのためのチャネルを提供する状態が、示されている。アプリケーションのリストによって提供されるアプリケーションは、メッセンジャーサービスを提供するプロバイダのアプリケーションであってもよいが、外部業者により製作されてメッセンジャープラットフォーム上に入店する形態で提供される外部アプリケーションであってもよい。
【００２８】
このようなアプリケーションは、ゲーム、イベント、コミュニティ、スケジュールなどの様々なサービスのために製作されてもよく、メッセンジャーサービスのためのアプリケーション上で駆動されるウェブアプリケーション（ｗｅｂ  ａｐｐｌｉｃａｔｉｏｎ）の形態で提供されたり、またはメッセンジャーサービスのためのアプリケーションとは別に駆動されるネイティブアプリケーション（ｎａｔｉｖｅ  ａｐｐｌｉｃａｔｉｏｎ）の形態で提供されてもよい。
【００２９】
ユーザがネイティブアプリケーションの形態で提供されるアプリケーションを選択したとき、端末に当該アプリケーションが既にインストールされている場合には、直ちに当該連係サービスに接続されてもよく、当該アプリケーションがインストールされていない場合には、当該アプリケーションのダウンロードをガイドするための情報が、提供されてもよい。
【００３０】
ここで、少なくとも１つの連係サービスは、メッセンジャーサービスを用いるユーザ間の関係情報を用いて関係の設定された、少なくとも２人以上のユーザに、共に提供されてもよい。すなわち、メッセンジャーサービスによって他の任意のサービスが提供される代わりに、メッセンジャーサービスの関係情報を活用する少なくとも１つの連係サービスが提供されてもよい。例えば、メッセンジャーサービスの友だちリストがゲームやスケジュールまたは占いなどの連係サービスで活用されて、メッセンジャーサービス内の友だちと共に占いを見たり、マイスケジュールサービスで自身のメッセンジャーサービスの友だちに直接マイスケジュールを伝達するなどのサービスが、可能である。
【００３１】
図２は、本発明の一実施形態に係るサービスプラットフォームシステムの内部構成を説明するためのブロック図である。本実施形態に係るサービスプラットフォームシステム２００は、図１を参照して説明したメッセージサービスのようなメインサービスを提供するシステムであってもよい。ただし、メインサービスがメッセージサービスで限定されることはない。例えば、友だち関係が設定されて管理される他のソーシャルネットワークサービスが、メインサービスに含まれてもよい。
【００３２】
このようなサービスプラットフォームシステム２００は、図２に示すように、メインサービス提供部２１０及び連係サービス提供部２２０を少なくとも備えてもよく、必要に応じて選択的に、便り情報提供部２３０をさらに備えてもよい。
【００３３】
メインサービス提供部２１０は、メインサービスを用いるユーザ間の関係情報を含むリアルプロフィール（ｒｅａｌ  ｐｒｏｆｉｌｅ）を用いてメインサービスを提供する。すなわち、メッセンジャーサービスやソーシャルネットワークサービスのように、ユーザ間の人脈関係が設定及び管理されるサービスがメインサービスとしてユーザに提供されてもよい。
【００３４】
連係サービス提供部２２０は、メインサービスによって複数の連係サービスのためのチャネルを提供し、チャネルを介して選択された連係サービスを提供する。ここで、複数の連係サービスのうち少なくとも１つの連係サービスは、当該連係サービス，及び、当該連係サービス内でリアルプロフィールを用いて関係を構築すべき少なくとも１人の他のユーザを選択したユーザに提供されるように、サービスされてもよい。例えば、メインサービスがメッセンジャーサービスであり、特定ユーザがメッセンジャーサービスによってスケジュールサービスを選択した場合、特定ユーザは、スケジュールサービスでメッセンジャーサービスの友だちリストを用いて、自身のスケジュールを他の友だちに送信したり共有してもよい。
【００３５】
すなわち、少なくとも１つの連係サービスは、当該連係サービスで特定ユーザに関連するデータを選択し、リアルプロフィールによって関係の設定された他のユーザに、メインサービスによって伝達してもよく、または、かかる他のユーザと共有してもよい。例えば、ユーザＡのカレンダーデータやスケジュールデータが、他のユーザによって、メインサービスを通じて伝達されたり共有されてもよい。ここで、他のユーザも、同一の連係サービスによって伝達または共有されたデータを確認してもよく、または、かかる他のユーザに対して上述したタイムラインによって前述のデータが提供されてもよい。
【００３６】
図３は、本発明の一実施形態に係るスケジュールサービスにおいてメッセンジャーサービスの実際グラフを用いる一例を示す図である。
【００３７】
第１画面３１０は、ユーザによって選択された連係サービスのスケジュールサービスが提供された状態を、示している。より具体的に、第１画面３１０ではユーザがスケジュールサービスでメンバーを追加するためにユーザインタフェースをタップ（ｔａｐ）する状態が、示されている。
【００３８】
第２画面３２０は、第１画面３１０でユーザがメンバーを追加するためのユーザインタフェースをタップすることにより、スケジュールサービスでメッセンジャーサービスのリアルプロフィールを用いてメッセンジャーサービスの友だちリストを呼び出した状態を、示している。
【００３９】
図４及び図５は、本発明の一実施形態に係る他のユーザがスケジュールサービスが提供される一例を示す図である。すなわち、図４は、図３でユーザがリアルプロフィールに基づいてメンバーを追加し、追加されたメンバーにスケジュール関連データを送信する場合、メッセンジャーサービスのチャットウィンドウを用いてスケジュール関連データが追加されたメンバーに送信される形状を示している。また、図５は、プッシュ（ｐｕｓｈ）アラームによってスケジュール関連データが追加されたメンバーに送信される形状を示している。
【００４０】
すなわち、図３から図５を参照して説明するように、メインサービスによって提供される少なくとも１つの連係サービスは、当該連係サービス，及び、当該連係サービス内でリアルプロフィールを用いて関係を構築すべき少なくとも１人の他のユーザを選択したユーザに提供されるように、サービスされてもよい。
【００４１】
再び図２を参照すると、他の連係サービスは、サービスごとのプロフィールやチャネルプロフィールを活用してもよい。ここで、サービスごとのプロフィールは、当該連係サービスを用いるユーザ間の関係情報を含んでもよく、チャネルプロフィールは、チャネルを用いるユーザ間の関係情報を含んでもよい。すなわち、サービスごとのプロフィールは、各連係サービス自体のプロフィールを意味し、チャネルプロフィールは、チャネル全体で共通に使用するプロフィールを意味する。
【００４２】
例えば、チャットサービスが連係サービスとして提供される場合、メインサービスのリアルプロフィールではなく、チャットサービスが内部的に管理するプロフィールを用いて、チャットサービスが提供されてもよい。
【００４３】
また、家計簿や辞書などのように他のユーザとの連係が必要ではない連係サービスは、このようなプロフィールを使用しなくてもよい。
【００４４】
便り情報提供部２３０は、複数の連係サービスに関連するユーザの便り情報を、リアルプロフィール、サービスごとのプロフィール及びチャネルプロフィールのうち少なくとも１つに基づいて関係が設定された他のユーザに、提供してもよい。ここで、便り情報は、友だちのコンテンツ利用内訳や活動内訳などを含んでもよい。
【００４５】
このような、複数の連係サービスは、メインサービスのサービスプラットフォームに基づいてユーザ端末に提供されるが、ユーザ端末で動作する互いに異なるアプリケーションによって提供されてもよい。既に説明したように、連係サービスは、それぞれメインサービスを提供するためのアプリケーションとは別途のアプリケーションによって提供されてもよい。
【００４６】
ここで、連係サービスのためのアプリケーションは、次の２種類の形態で提供されてもよい。
【００４７】
（１）メインサービスを提供するためのメインアプリケーション上で駆動するウェブアプリケーションの形態
【００４８】
（２）メインアプリケーションとは別に駆動されるネイティブアプリケーションの形態
【００４９】
すなわち、一部の連係サービスは、別途のアプリケーションプログラムをダウンロードする必要がなく、メインサービスのためのメインアプリケーション上のブラウザーで駆動されるウェブアプリケーションの形態で製作されたアプリケーションによって、提供されてもよい。
【００５０】
また、残りの連係サービスは、ユーザ端末に別にインストールされて動作するネイティブアプリケーションの形態で製作されたアプリケーションによって、提供されてもよい。
【００５１】
ここで、連係サービスは、メインサービスを提供するプロバイダの内部サービスを含んでもよく、外部業者の外部サービスを含んでもよい。すなわち、複数の連係サービスのうち少なくとも１つの連係サービスは、外部業者のサービスとして、メインサービスのサービスプラットフォームに基づいてユーザ端末に提供されるが、外部業者によって製作された外部製作アプリケーションによってユーザ端末で提供されてもよい。外部製作アプリケーションも、上述したウェブアプリケーション形態またはネイティブアプリケーション形態の１つに、製作されてもよい。
【００５２】
ここで、外部業者のサービスがチャネルを介して表示されることによるプラットフォームのイニシャル利用料が、外部業者に課金されてもよい。または、外部業者のサービスがユーザに提供されることによって発生する収益が、メインサービスのプロバイダと外部業者との間に分配されてもよい。例えば、占いサービスをメインサービスプラットフォームに設けて提供し、メインサービスプラットフォームユーザが占いサービスを有料で使用する場合、占いサービス業者とサービスプラットフォーム業者が一定の比率で収益を分配してもよい。占いサービスだけではなく、ゲームサービスまたは連係サービスにおける各種のアイテムを購入することによって発生する収益が、連係サービス業者とサービスプラットフォーム業者との間に分配されてもよい。
【００５３】
すなわち、メインサービスを提供するプロバイダは、内部的に製作したサービスに加えて、外部業者によって提供された様々なサービスを提供することにより、ユーザの関心とトラフィックを誘導することができ、外部業者は容易に自身のサービスをユーザに知らせる機会を取得できる。それだけではなく、メインサービスを提供するプロバイダは、外部業者のサービスをメインサービスによって提供する代わりに、プラットフォームのイニシャル利用料を課金したり、または、サービス収益が分配されることによって、追加収益を創り出すことができる。
【００５４】
また、連係サービス提供部２２０は、メインサービスをユーザによって選択された連係サービスに転換して提供してもよい。ここで、連係サービスは、メインサービスに再び転換するためのユーザインタフェースを含んでもよい。すなわち、サービスプラットフォームシステム２００は、メインサービスと連係サービスを互いに転換して提供してもよい。このような転換は、複数の連係サービスが内部で規定した開発者の原則や政策によって製作されることで可能になる。
【００５５】
図６は、本発明の一実施形態に係るサービス提供方法を示すフローチャートである。本実施形態に係るサービス提供方法は、図２を参照して説明したサービスプラットフォームシステム２００によって行ってもよい。
【００５６】
ステップＳ６１０において、サービスプラットフォームシステム２００は、メインサービスを用いるユーザ間の関係情報を含むリアルプロフィール（ｒｅａｌ  ｐｒｏｆｉｌｅ）を用いてメインサービスを提供する。すなわち、メッセンジャーサービスやソーシャルネットワークサービスのようにユーザ間の人脈関係が設定及び管理されるサービスが、メインサービスとしてユーザに提供されてもよい。
【００５７】
ステップＳ６２０において、サービスプラットフォームシステム２００は、メインサービスによって複数の連係サービスのためのチャネルを提供し、チャネルを介して選択された連係サービスを提供する。ここで、複数の連係サービスのうち少なくとも１つの連係サービスは、当該連係サービス，及び、当該連係サービス内でリアルプロフィールを用いて関係を構築すべき少なくとも１人の他のユーザを選択したユーザに提供されるように、サービスされてもよい。例えば、メインサービスがメッセンジャーサービスであり、特定ユーザがメッセンジャーサービスによってスケジュールサービスを選択した場合、特定ユーザは、スケジュールサービスでメッセンジャーサービスの友だちリストを用いて自身のスケジュールを他の友だちに送信したり共有してもよい。
【００５８】
すなわち、少なくとも１つの連係サービスは、当該連係サービスで特定ユーザに関連するデータを選択し、リアルプロフィールによって関係の設定された他のユーザにメインサービスによって伝達してもよく、かかる他のユーザと共有させてもよい。例えば、ユーザＡのカレンダーデータやスケジュールデータが他のユーザにメインサービスによって伝達されてもよく、かかる他のユーザと共有されてもよい。ここで、他のユーザも、同一の連係サービスによって伝達または共有されたデータを確認してもよく、上述したタイムラインによってこのようなデータの提供を受けてもよい。
【００５９】
他の連係サービスは、サービスごとのプロフィールやチャネルプロフィールを活用してもよい。ここで、サービスごとのプロフィールは、当該連係サービスを用いるユーザ間の関係情報を含んでもよく、チャネルプロフィールは、チャネルを用いるユーザ間の関係情報を含んでもよい。すなわち、サービスごとのプロフィールは、各連係サービス自体のプロフィールを意味し、チャネルプロフィールは、チャネル全体で共通に使用するプロフィールを意味する。
【００６０】
例えば、チャットサービスが連係サービスとして提供される場合、メインサービスのリアルプロフィールではなく、チャットサービスが内部的に管理するプロフィールを用いて、チャットサービスが提供されてもよい。
【００６１】
また、家計簿や辞書などのように他のユーザとの連係が必要ではない連係サービスは、このようなプロフィールを使用しなくてもよい。
【００６２】
ステップＳ６３０において、サービスプラットフォームシステム２００は、複数の連係サービスに関連するユーザの便り情報を、リアルプロフィール、サービスごとのプロフィール及びチャネルプロフィールのうち少なくとも１つに基づいて関係が設定された他のユーザに、提供してもよい。ここで、便り情報は、友だちのコンテンツ利用内訳や活動内訳などを含んでもよい。
【００６３】
このような複数の連係サービスは、メインサービスのサービスプラットフォームに基づいてユーザ端末に提供されるが、ユーザ端末で動作する互いに異なるアプリケーションによって提供されてもよい。既に説明したように、連係サービスは、それぞれのメインサービスを提供するためのアプリケーションとは別途のアプリケーションによって提供されてもよい。
【００６４】
ここで、連係サービスのためのアプリケーションは、次の２種類の形態で提供されてもよい。
【００６５】
（１）メインサービスの提供のためのメインアプリケーション上で駆動するウェブアプリケーションの形態
【００６６】
（２）メインアプリケーションとは別に駆動されるネイティブアプリケーションの形態
【００６７】
すなわち、一部の連係サービスは、別途のアプリケーションプログラムをダウンロードする必要がなく、メインサービスのためのメインアプリケーション上のブラウザーで駆動されるウェブアプリケーションの形態で製作されたアプリケーションによって、提供されてもよい。
【００６８】
また、残りの連係サービスは、ユーザ端末に別にインストールされて動作するネイティブアプリケーションの形態で製作されたアプリケーションによって、提供されてもよい。
【００６９】
ここで、連係サービスは、メインサービスを提供するプロバイダの内部サービスを含んでもよく、外部業者の外部サービスを含んでもよい。すなわち、複数の連係サービスのうち少なくとも１つの連係サービスは、外部業者のサービスとして、メインサービスのサービスプラットフォームに基づいてユーザ端末に提供されてもよく、外部業者によって製作された外部製作アプリケーションによってユーザ端末で提供されてもよい。外部製作アプリケーションも、上述したウェブアプリケーションの形態またはネイティブアプリケーションの形態のうちの１つに、製作されてもよい。
【００７０】
ここで、外部業者のサービスがチャネルを介して表示されることによるプラットフォームのイニシャル利用料が外部業者に課金されてもよい。または、外部業者のサービスがユーザに提供されることによって発生する収益が、メインサービスのプロバイダと外部業者との間に分配されてもよい。例えば、占いサービスをメインサービスプラットフォームに設けて提供し、メインサービスプラットフォームユーザが占いサービスを有料で使用する場合、占いサービス業者とサービスプラットフォーム業者が一定の比率で収益を分配してもよい。占いサービスだけではなく、ゲームサービスまたは連係サービスにおける各種のアイテム購入によって発生する収益が、連係サービス業者とサービスプラットフォーム業者との間に分配されてもよい。
【００７１】
すなわち、メインサービスを提供するプロバイダは、内部的に製作したサービスに加えて、外部業者によって提供された様々なサービスを提供することにより、ユーザの関心とトラフィックを誘導することができ、外部業者は容易に自身のサービスをユーザに知らせる機会を取得できる。それだけではなく、メインサービスを提供するプロバイダは、外部業者のサービスをメインサービスによって提供する代わりに、プラットフォームのイニシャル利用料を課金したり、または、サービス収益の分配を受けることによって、追加収益を創り出すことができる。
【００７２】
また、サービスプラットフォームシステム２００は、ステップＳ６２０において、メインサービスをユーザによって選択された連係サービスに切り替えて提供してもよい。ここで、連係サービスは、メインサービスに再び切り替えるためのユーザインタフェースを、含んでもよい。すなわち、サービスプラットフォームシステム２００は、メインサービスと連係サービスとを互いに切り替えて、提供してもよい。このような切換は、内部で規定した開発者の信条や方針に基づいて製作された複数の連係サービスにより、可能になる。
【００７３】
図７及び図８は、本発明の一実施形態に係るメインサービスと連係サービスとを切り替えて提供される例を、示している。
【００７４】
図７は、チャット画面内のバナーまたはプロモーション領域を通じてゲームサービスのリストを受信するためのユーザインタフェース７１０が提供される例を、示している。ここで、点線内に表示されたユーザインタフェース領域がユーザによってタップされると、様々なゲームサービスのリストが、ユーザに提供されてもよい。ここで、ユーザが特定ゲームサービスを選択すると、メッセンジャーサービスが当該ゲームサービスに転換されて、選択されたゲームサービスが提供されてもよい。
【００７５】
図８は、本発明の一実施形態に係るチャット画面内のゲーム連係方法を示す、異なる例である。図８は、チャット画面上段のバナーをクリックまたはフリッキングしたり、またはチャット画面そのものを左右フリッキングするなどのユーザイベント８１０によってゲームサービスリストを提供するユーザインタフェースを提供した一例を、示している。ここで、図８に示す点線内に表示された領域が、チャット画面の上段のバナーに対応してもよい。
【００７６】
すなわち、メインサービスでは、様々なユーザイベントによってチャネルが提供されてもよく、チャネルで連係サービスが選択される場合、メインサービスから連係サービスに切り替えられて、提供されてもよい。ここで、連係サービスには、再びメインサービスに切り替えるためのユーザインタフェースが、含まれてもよい。例えば、図７及び図８に示すように、メッセンジャーサービスによってチャットを交換した一組のユーザがゲームを選択してそのサービスを受けた後、再び本来のチャットウィンドウの画面に戻って再びメッセンジャーサービスを提供されるようになる。
【００７７】
このように、本発明の実施形態によれば、メッセンジャープラットフォームのユーザ情報及びの友だちのような関係情報などに基づいて、メッセンジャープラットフォーム上に様々なサービスを実装することにより、メッセンジャープラットフォームをソーシャルプラットフォームとして活用することができる。
【００７８】
本発明の実施形態によれば、メッセンジャープラットフォームを通じて、メッセンジャーサービスだけではなく、内部／外部で製作されたアプリケーションによって、様々なサービスを提供することができる。
【００７９】
本発明の実施形態によれば、メッセンジャープラットフォームをベースとして、外部業者によって製作されたアプリケーションを介して外部業者のサービスを提供し、プラットフォームのイニシャル利用料を外部業者に課金したり、または、外部業者のサービスがユーザに提供されることによって発生する収益をメッセンジャーサービスのプロバイダと外部業者との間に分配して収益を創り出すことができる。
【００８０】
本発明の実施形態に係る方法は、多様なコンピュータ手段によって実行されることができるプログラム命令形態で実現され、コンピュータで読み取り可能な媒体に記録されることができる。コンピュータで読み取り可能な媒体は、プログラム命令、データファイル、データ構造などを単独または組み合わせて含むことができる。媒体に記録されるプログラム命令は、本発明のために特別に設計されて構成されたものであってもよく、コンピュータソフトウェア当業者に公示されて使用可能なものであってもよい。
【００８１】
上述したように、本発明は限定された実施形態と図面によって説明されたが、本発明が上述した実施形態に限定されるものではなく、本発明が属する分野において通常の知識を有する者であれば、このような記載から多様な修正および変形が可能である。
【００８２】
したがって、本発明の範囲は上述した実施形態に限定されて定められてはならず、添付の特許請求の範囲だけではなく、この特許請求の範囲と均等なものによって定められなければならない。
【図１】
2014021969.tif 000003
【図２】
2014021969.tif 000004
【図３】
2014021969.tif 000005
【図４】
2014021969.tif 000006
【図５】
2014021969.tif 000007
【図６】
2014021969.tif 000008
【図７】
2014021969.tif 000009
【図８】
2014021969.tif 000010
【手続補正書】
【提出日】平成25年4月17日(2013.4.17)
【手続補正１】
【補正対象書類名】特許請求の範囲
【補正対象項目名】全文
【補正方法】変更
【補正の内容】
【特許請求の範囲】
【請求項１】
メインサービスを用いるユーザ間の関係情報を含むリアルプロフィールを用いて前記メインサービスを提供するステップと、
前記メインサービスによって複数の連係サービスのためのプラットフォームを提供し、前記プラットフォームを介して選択された連係サービスを提供するステップと、
を含み、
前記複数の連係サービスのうち少なくとも１つの連係サービスは、当該連係サービスを選択し、且つ、当該連係サービス内で前記リアルプロフィールによって関係の設定された少なくとも１人の他のユーザを選択したユーザに、提供されることを特徴とするサービス提供方法。
【請求項２】
前記複数の連係サービスのうち少なくとも１つの連係サービスは、前記他の連係サービスを利用するユーザ間の関係情報を含むサービスごとのプロフィールまたは前記プラットフォームを利用するユーザ間の関係情報を含むチャネルプロフィールを用いて、当該プロフィールによって関係が設定された少なくとも２以上のユーザに、共に提供されることを特徴とする請求項１に記載のサービス提供方法。
【請求項３】
前記複数の連係サービスに関連するユーザのニュース情報を、前記リアルプロフィール、前記サービスごとのプロフィール及び前記チャネルプロフィールのうち少なくとも１つに基づいて関係が設定された他のユーザに提供するステップをさらに含むことを特徴とする請求項２に記載のサービス提供方法。
【請求項４】
前記複数の連係サービスは、前記メインサービスのサービスプラットフォームに基づいてユーザ端末に提供され、前記ユーザ端末で動作する互いに異なるアプリケーションによって提供されることを特徴とする請求項１に記載のサービス提供方法。
【請求項５】
前記複数の連係サービスのうち少なくとも１つの連係サービスを提供するためのアプリケーションは、前記メインサービスが提供されるメインアプリケーション上で実行されることを特徴とする請求項４に記載のサービス提供方法。
【請求項６】
前記複数の連係サービスのうち外部業者による少なくとも１つの連係サービスは、前記メインサービスのサービスプラットフォームに基づいてユーザ端末に提供され、外部業者によって製作された外部製作アプリケーションによってユーザ端末で提供されることを特徴とする請求項１に記載のサービス提供方法。
【請求項７】
前記外部業者のサービスが前記プラットフォームを介して表示されることによるプラットフォームのイニシャル利用料が前記外部業者に課金されることを特徴とする請求項６に記載のサービス提供方法。
【請求項８】
前記外部業者のサービスがユーザに提供されることによって発生する収益が前記メインサービスのプロバイダと前記外部業者との間に分配されることを特徴とする請求項６に記載のサービス提供方法。
【請求項９】
前記プラットフォームを介して選択された連係サービスを提供するステップは、前記メインサービスを前記選択された連係サービスと切り替えて提供し、
前記連係サービスは、前記メインサービスに再び切り替えるためのユーザインタフェースを含むことを特徴とする請求項１に記載のサービス提供方法。
【請求項１０】
前記プラットフォームを介して選択された連係サービスを提供するステップは、ユーザの前記連係サービスに関連するデータを、前記リアルプロフィールによって関係の設定された他のユーザに前記メインサービスによって送信または共有することを特徴とする請求項１に記載のサービス提供方法。
【請求項１１】
コンピュータシステムに対して、
メインサービスを用いるユーザ間の関係情報を含むリアルプロフィールを用いて前記メインサービスを提供するステップと、
前記メインサービスによって複数の連係サービスのためのプラットフォームを提供し、前記プラットフォームを介して選択された連係サービスを提供するステップと、
を実行させるコンピュータプログラムであって、
前記複数の連係サービスのうち少なくとも１つの連係サービスは、当該連係サービスを選択し、且つ、当該連係サービス内で前記リアルプロフィールによって関係の設定された少なくとも１人の他のユーザを選択したユーザに提供されることを特徴とするコンピュータプログラム。
【請求項１２】
メインサービスを用いるユーザ間の関係情報を含むリアルプロフィールを用いて前記メインサービスを提供するステップと、
前記メインサービスによって複数の連係サービスのためのプラットフォームを提供し、前記プラットフォームを介して選択された複数の連係サービスのリストを提供するステップと、
前記選択された複数の連係サービスのリストのうちユーザが選択した連係サービスを提供するステップと、
を含み、
前記連係サービスは、前記メインサービスのサービスプラットフォームと連動してサービスされることを特徴とする連係サービス提供方法。
【請求項１３】
メインサービスを用いるユーザ間の関係情報を含むリアルプロフィールを用いて前記メインサービスを提供するステップと、
前記メインサービスによって複数の連係サービスのためのプラットフォームを提供し、前記プラットフォームを介して選択された複数の連係サービスのリストを提供するステップと、
前記複数の連係サービスのリストのうちユーザが選択した連係サービスを提供するステップと、
前記ユーザが選択した連係サービスに関連するユーザのニュース情報を、前記リアルプロフィール、サービスごとのプロフィール及びチャネルプロフィールのうち少なくとも１つに基づいて前記ユーザと互いに関係が設定された他のユーザに提供するステップと、
を含むことを特徴とする連係サービス提供方法。
【請求項１４】
前記ユーザが選択した連係サービスは、前記メインサービスの提供のためのメインアプリケーションとは別に実行されるネイティブアプリケーションであることを特徴とする請求項１３に記載の連係サービス提供方法。
【請求項１５】
前記ユーザが選択した連係サービスを提供するステップは、
前記ユーザのユーザ端末に前記ネイティブアプリケーションがインストールされているかを確認するステップと、
前記ネイティブアプリケーションが前記ユーザ端末にインストールされている場合、前記連係サービスを提供するステップと、
を含むことを特徴とする請求項１４に記載の連係サービス提供方法。
【請求項１６】
前記ユーザが選択した連係サービスを提供するステップは、
前記ユーザのユーザ端末に前記ネイティブアプリケーションがインストールされているかを確認するステップと、
前記ネイティブアプリケーションが前記ユーザ端末にインストールされていない場合、前記ネイティブアプリケーションのダウンロードをガイドするための情報を提供するステップと、
を含むことを特徴とする請求項１４に記載の連係サービス提供方法。
【請求項１７】
前記ユーザが選択した連係サービスを提供するステップは、前記ユーザの関係情報を含むリアルプロフィールを用いて、前記ユーザ及び前記ユーザと互いに関係の設定された少なくとも１つの他のユーザに共に前記連係サービスを提供することを特徴とする請求項１３に記載の連係サービス提供方法。
【請求項１８】
前記のニュース情報は、前記連係サービスに対する前記ユーザの利用内訳や活動内訳を含むことを特徴とする請求項１３に記載の連係サービス提供方法。
【請求項１９】
前記複数の連係サービスのうち少なくとも１つの連係サービスは外部業者のサービスとして、前記メインサービスのサービスプラットフォームに基づいて前記ユーザのユーザ端末に提供され、前記外部業者によって製作された外部製作アプリケーションを通じて前記ユーザ端末に提供されることを特徴とする請求項１３に記載の連係サービス提供方法。
【請求項２０】
前記外部業者のサービスが前記ユーザに提供されることによって発生する収益が、前記メインサービスのプロバイダと前記外部業者との間に分配されることを特徴とする請求項１９に記載の連係サービス提供方法。
【請求項２１】
コンピュータシステムを、
メインサービスを用いるユーザ間の関係情報を含むリアルプロフィールを用いて前記メインサービスを提供するメインサービス提供部と、
前記メインサービスによって複数の連係サービスのためのプラットフォームを提供し、前記プラットフォームを介して選択された複数の連係サービスのリストを提供し、前記選択された複数の連係サービスのリストのうちユーザが選択した連係サービスを提供する連係サービス提供部として機能させ、
前記連係サービスを、前記メインサービスのサービスプラットフォームと連動して提供させることを特徴とするコンピュータプログラム。
【請求項２２】
コンピュータシステムを、
メインサービスを用いるユーザ間の関係情報を含むリアルプロフィールを用いて前記メインサービスを提供するメインサービス提供部と、
前記メインサービスによって複数の連係サービスのためのプラットフォームを提供し、前記プラットフォームを介して選択された複数の連係サービスのリストを提供して前記複数の連係サービスのリストのうちユーザが選択した連係サービスを提供する連係サービス提供部と、
前記ユーザが選択した連係サービスに関連するユーザのニュース情報を、前記リアルプロフィール、サービスごとのプロフィール及びチャネルプロフィールのうち少なくとも１つに基づいて前記ユーザと互いに関係の設定された他のユーザに提供するニュース情報提供部として機能させるコンピュータプログラム。
【手続補正２】
【補正対象書類名】明細書
【補正対象項目名】０００６
【補正方法】変更
【補正の内容】
【０００６】
メインサービスを用いるユーザ間の関係情報を含むリアルプロフィールを用いて前記メインサービスを提供するステップと、メインサービスによって複数の連係サービスのためのプラットフォームを提供し、プラットフォームを介して選択された連係サービスを提供するステップとを含み、複数の連係サービスのうち少なくとも１つの連係サービスは、当該連係サービスを選択し、且つ、当該連係サービス内で前記リアルプロフィールによって関係の設定された少なくとも１人の他のユーザを選択したユーザに提供されることを特徴とするサービス提供方法が、提供される。
【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
ユーザ端末と通信可能なサーバが、メッセンジャーサービスアプリケーションを用いるユーザ間の友だち関係の情報を含むリアルプロフィールを用いてメッセンジャーサービスをユーザ端末に提供するステップと、
前記サーバが、前記メッセンジャーサービスアプリケーション内で複数の連係サービスを実行するためのプラットフォームを提供し、前記プラットフォームを介して選択された連係サービスを前記ユーザ端末に提供するステップと、
を含み、
上記連携サービスは前記メッセンジャーサービスアプリケーションとは異なるネイティブアプリケーションにおいて実行され、
前記複数の連係サービスのうち少なくとも１つの連係サービスは、当該連係サービスを選択し、且つ、当該連係サービス内で前記リアルプロフィールによって友だち関係の設定された少なくとも１人の他のユーザを選択したユーザのユーザ端末及び当該他のユーザのユーザ端末に提供され、前記ユーザの前記連係サービスに関連するデータを、前記リアルプロフィールによって当該ユーザのユーザ端末と友だち関係の設定された他のユーザのユーザ端末に前記メッセンジャーサービスによって送信し、または共有させることを特徴とするサービス提供方法。
【請求項２】
前記複数の連係サービスのうち少なくとも１つの連係サービスは、前記他の連係サービスを利用するユーザ間の関係情報を含むサービスごとのプロフィールを用いて、当該プロフィールによって関係が設定された少なくとも２以上のユーザのユーザ端末に、共に提供されることを特徴とする請求項１に記載のサービス提供方法。
【請求項３】
前記サーバが、前記複数の連係サービスに関連するユーザのニュース情報を、前記リアルプロフィール、前記サービスごとのプロフィールのうち少なくとも１つに基づいて関係が設定された他のユーザのユーザ端末に提供するステップをさらに含むことを特徴とする請求項２に記載のサービス提供方法。
【請求項４】
前記複数の連係サービスのうち外部業者による少なくとも１つの連係サービスは、前記メッセンジャーサービスのプラットフォームを通じてユーザ端末に提供され、外部業者によって製作された外部製作アプリケーションによってユーザ端末で提供されることを特徴とする請求項１に記載のサービス提供方法。
【請求項５】
前記外部業者のサービスが前記プラットフォームを介して提供されることによるプラットフォームのイニシャル利用料が前記外部業者に課金されることを特徴とする請求項４に記載のサービス提供方法。
【請求項６】
前記外部業者のサービスがユーザに提供されることによって発生する収益が前記メッセンジャーサービスのプロバイダと前記外部業者との間に分配されることを特徴とする請求項４に記載のサービス提供方法。
【請求項７】
前記プラットフォームを介して選択された連係サービスを提供するステップでは、前記サーバは、前記メインサービスを前記選択された連係サービスと切り替えて提供し、
前記連係サービスは、前記メインサービスに再び切り替えるためのユーザインタフェースを含むことを特徴とする請求項１に記載のサービス提供方法。
【請求項８】
ユーザ端末と通信可能なサーバを構成するコンピュータシステムに対して、
メッセンジャーサービスアプリケーションを用いるユーザ間の友だち関係の情報を含むリアルプロフィールを用いて前記メインサービスを前記ユーザ端末に提供させるステップと、
前記メッセンジャーサービスアプリケーション内で複数の連係サービスをネイティブアプリケーションにおいて実行するためのプラットフォームを提供し、前記プラットフォームを介して選択された連係サービスを前記ユーザ端末に提供させるステップと、
を実行させるコンピュータプログラムであって、
前記複数の連係サービスのうち少なくとも１つの連係サービスは、当該連係サービスを選択し、且つ、当該連係サービス内で前記リアルプロフィールによって友だち関係の設定された少なくとも１人の他のユーザを選択したユーザ及び当該他のユーザのユーザ端末に提供され、前記ユーザの前記連係サービスに関連するデータを、前記リアルプロフィールによって当該ユーザのユーザ端末と友だち関係の設定された他のユーザのユーザ端末に前記メインサービスが送信し、または共有させることを特徴とするコンピュータプログラム。
【請求項９】
前記選択された連係サービスを提供するステップでは、前記サーバは、
前記ユーザのユーザ端末に前記ネイティブアプリケーションがインストールされているかを確認するステップと、
前記ネイティブアプリケーションが前記ユーザ端末にインストールされている場合、前記連係サービスを提供するステップと、
を含むことを特徴とする請求項１に記載の連係サービス提供方法。
【請求項１０】
前記選択された連係サービスを提供するステップは、
前記サーバが、前記ユーザのユーザ端末に前記ネイティブアプリケーションがインストールされているかを確認するステップと、
前記サーバが、前記ネイティブアプリケーションが前記ユーザ端末にインストールされていない場合、前記ネイティブアプリケーションのダウンロードをガイドするための情報を提供するステップと、
を含むことを特徴とする請求項１に記載の連係サービス提供方法。
【請求項１１】
前記選択された連係サービスを提供するステップでは、前記サーバが、前記ユーザの友だち関係の情報を含むリアルプロフィールを用いて、前記ユーザ及び前記ユーザと互いに友だち関係の設定された少なくとも１つの他のユーザに共に前記連係サービスを提供することを特徴とする請求項１に記載の連係サービス提供方法。
【請求項１２】
前記のニュース情報は、前記連係サービスに対する前記ユーザの利用内訳や活動内訳を含むことを特徴とする請求項３に記載の連係サービス提供方法。
【請求項１３】
ユーザ端末と通信可能なサーバを構成するコンピュータシステムを、
メッセンジャーサービスアプリケーションを用いるユーザ間の友だち関係の情報を含むリアルプロフィールを用いてメッセンジャーサービスをユーザ端末に提供するメインサービス提供部と、
前記メッセンジャーサービスアプリケーション内で複数の連係サービスを実行するプラットフォームを提供し、前記プラットフォームを介して選択された複数の連係サービスのリストを前記ユーザ端末に提供し、前記選択された複数の連係サービスのリストのうちユーザが選択した連係サービスに関連するデータを、当該ユーザのユーザ端末及び前記リアルプロフィールによって当該ユーザと友だち関係の設定された他のユーザのユーザ端末に前記メインサービスが送信し、または共有させる連係サービス提供部として機能させ、
前記連係サービスを、前記メインサービスのサービスプラットフォームと連動して提供させることを特徴とするコンピュータプログラム。
【請求項１４】
ユーザ端末と通信可能なサーバを構成するコンピュータシステムを、
メッセンジャーサービスアプリケーションを用いるユーザ間の友だち関係の情報を含むリアルプロフィールを用いてメッセンジャーサービスをユーザ端末に提供するメインサービス提供部と、
前記メッセンジャーサービスアプリケーション内で複数の連係サービスを実行するためのプラットフォームを提供し、前記プラットフォームを介して選択された複数の連係サービスのリストを前記ユーザ端末に提供して前記複数の連係サービスのリストのうちユーザが選択した連係サービスをユーザ端末に提供する連係サービス提供部と、
前記ユーザが選択した連係サービスに関連するユーザのニュース情報を、当該ユーザのユーザ端末及び前記リアルプロフィール、サービスごとのプロフィールのうち少なくとも１つに基づいて前記ユーザと互いに友だち関係の設定された他のユーザのユーザ端末に提供するニュース情報提供部として機能させるコンピュータプログラム。
【手続補正２】
【補正対象書類名】明細書
【補正対象項目名】０００６
【補正方法】変更
【補正の内容】
【０００６】
ユーザ端末と通信可能なサーバが、メッセンジャーサービスアプリケーションを用いるユーザ間の友だち関係の情報を含むリアルプロフィールを用いてメッセンジャーサービスをユーザ端末に提供するステップと、サーバが、メッセンジャーサービスアプリケーション内で複数の連係サービスを実行するためのプラットフォームを表示し、プラットフォームを介して選択された連係サービスをユーザ端末に提供するステップとを含み、上記連携サービスは前記メッセンジャーサービスアプリケーションとは異なるネイティブアプリケーションにおいて実行され、複数の連係サービスのうち少なくとも１つの連係サービスは、当該連係サービスを選択し、且つ、当該連係サービス内で前記リアルプロフィールによって友だち関係の設定された少なくとも１人の他のユーザを選択したユーザのユーザ端末及び当該他のユーザのユーザ端末に提供され、前記ユーザの前記連係サービスに関連するデータを、前記リアルプロフィールによって当該ユーザと友だち関係の設定された他のユーザの端末に前記メインサービスが送信し、または共有させることを特徴とするサービス提供方法が、提供される。